(57)【要約】  空気調和機は、空気吸込口及び空気吹出口を有する筐体と、室内空気を空気吸込口より吸込み空気吹出口より吹出すファンと、ファンの空気吸込側に配置された熱交換器と、熱交換器の空気吸込側に配置されたフィルタと、フィルタに捕集された塵埃を清掃する清掃装置と、を備える。熱交換器は、下部が前側に、上部が後側に位置するように傾斜してファンの背面側に設置される。フィルタは熱交換器の傾斜面に沿うように傾斜して熱交換器の背面後方に設置される。清掃装置はフィルタの吸込み側に捕集された塵埃をフィルタの背面側で清掃するように設置される。係る構成によって、筐体の高さ寸法を大きくすることなく、騒音低減、集塵性能の向上を図ることができる。
2010143230.tif 000002
【特許請求の範囲】
【請求項１】
空気吸込口及び空気吹出口を有する筐体と、
前記筐体内に配置され、室内空気を前記空気吸込口より吸込み前記空気吹出口より吹出すファンと、
前記筐体内で前記ファンの空気吸込側に配置された熱交換器と、
前記筐体内で前記熱交換器の空気吸込側に配置されたフィルタと、
前記筐体内に配置され、前記フィルタに捕集された塵埃を清掃する清掃装置と、を備えた空気調和機において、
前記熱交換器の下部が前側にその上部が後側に位置するように傾斜して当該熱交換器を前記ファンの背面側に設置し、
前記熱交換器の傾斜面に沿うように傾斜して前記フィルタを前記熱交換器の背面後方に設置し、
前記フィルタの吸込み側に捕集された塵埃を前記フィルタの背面側で清掃するように前記清掃装置を設置した
ことを特徴とする空気調和機。
【請求項２】
請求項１において、
前記ファンは左右方向に長い貫流ファンで構成され、
前記筐体は天井面内に埋め込まれる筐体本体と前記筐体本体の下面開口を覆って天井面より下方に露出する化粧パネルとを有し、
前記空気吸込口は前記化粧パネルの後側部分に左右に長く形成して設けられ、
前記空気吹出口は前記化粧パネルの前側部分に左右に長く形成して設けられ、
前記フィルタは前記空気吸込口の上方で且つ前記熱交換器の後方の空間内に収納されると共に、前記清掃装置に装着して当該清掃装置とユニット化され、
前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられている
ことを特徴とする空気調和機。
【請求項３】
請求項２において、
前記清掃部は、回転ブラシと、静止ブラシと、前記回転ブラシ及び前記静止ブラシを保持するブラシ保持ケースと、前記フィルタから清掃された塵埃を溜めるダストボックスとをユニット化して構成され、
前記回転ブラシは、前記フィルタに捕集された塵埃を清掃する清掃ブラシと、前記回収ブラシに回収された塵埃を前記ダストボックスへ排出する排出ブラシとを備え、
前記静止ブラシは前記清掃ブラシで清掃された塵埃を回収する回収ブラシを備えた
ことを特徴とする空気調和機。
【請求項４】
請求項３において、
前記ダストボックスの側面形状は前記熱交換器の後方の空間の側面から見た略三角形状とほぼ一致する略三角形状になっている
ことを特徴とする空気調和機。
【請求項５】
請求項４において、
前記ブラシ保持ケースは、その反往路進行方向側の側面に、清掃時に前記清掃ブラシを通過して前記フィルタから落下した塵埃を受けて前記ダストボックス内に案内する滑り台を設けている
ことを特徴とする空気調和機。
【請求項６】
請求項４において、
前記ダストボックスは、その下面に設けられ且つ電気掃除機のノズルを挿入可能な開口と、この開口を塞ぐカバーとを備えている
ことを特徴とする空気調和機。
【請求項７】
請求項３において、
前記支持体は前記清掃部の待機位置に対応して第１凹部及び第２凹部を隣接して設けており、
前記清掃部は前記回転ブラシの回転を制御するアームを備え、
前記アームは、二股状に形成された第１アーム部及び第２アーム部を有して回転可能に前記ブラシ保持ケースに支持され、
前記第１アーム部は、前記清掃部の待機位置で前記第１凹部内に開放され、前記清掃部の動作の開始後に当該第１凹部の角部に当接して回動され、
前記第２アーム部は、前記第１アーム部の回動に伴って回動されて前記第２凹部内に開放された後に当該第２凹部の角部に当接されてさらに回動される
ことを特徴とする空気調和機。
【請求項８】
請求項３において、
前記清掃部は、一側から他側に向かって移動する往路では、前記清掃ブラシが前記フィルタに接触して清掃を行い、折り返し地点では、前回のフィルタ清掃時に前記回収ブラシに回収して付着した塵埃を前記排出ブラシにより前記ダストボックスに落下させると共に、今回のフィルタ清掃時に捕集した塵埃を前記排出ブラシが通過した後の前記回収ブラシに付着させるように動作される
ことを特徴とする空気調和機。
【請求項９】
請求項８において、
前記清掃部は、折り返し地点から待機状態に戻る往路では、前記清掃ブラシ及び前記排出ブラシを前記ブラシ保持ケース内に収納した状態に維持される
ことを特徴とする空気調和機。
【請求項１０】
請求項１において、
前記フィルタは前記清掃装置に装着して当該清掃装置とユニット化され、
前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられている
ことを特徴とする空気調和機。
【請求項１１】
請求項１において、
前記清掃装置は、前記フィルタに沿って移動して当該フィルタの清掃を行う清掃部とこの清掃部を駆動する駆動部と備え、
前記清掃部は、回転ブラシと、静止ブラシと、前記回転ブラシ及び前記静止ブラシを保持するブラシ保持ケースと、前記フィルタから清掃された塵埃を溜めるダストボックスとをユニット化して構成され、
前記回転ブラシは、前記フィルタに捕集された塵埃を清掃する清掃ブラシと、前記静止ブラシに回収された塵埃を前記ダストボックスへ排出する排出ブラシとを備え、
前記静止ブラシは前記清掃ブラシで清掃された塵埃を回収する回収ブラシを備えた
ことを特徴とする空気調和機。
【請求項１２】
請求項１において、
前記清掃装置は回転ブラシと前記回転ブラシにより前記フィルタから清掃された塵埃を溜めるダストボックスとを有する清掃部を備え、
前記清掃部は前記フィルタに捕集された塵埃を清掃する動作の後に短距離往復動作を複数回繰り返して前記回転ブラシに付着した塵埃を前記ダストボックスに落下させるものである
ことを特徴とする空気調和機。
【請求項１３】
空気吸込口及び空気吹出口を有する筐体と、
前記筐体内に配置され、室内空気を前記空気吸込口より吸込み前記空気吹出口より吹出すファンと、
前記筐体内で前記ファンの空気吸込側に配置された熱交換器と、
前記筐体内で前記熱交換器の空気吸込側に配置されたフィルタと、
前記筐体内に配置され、前記フィルタに捕集された塵埃を除去する清掃装置と、を備えた空気調和機において、
前記ファンは左右方向に長い貫流ファンで構成され、
前記筐体は天井面内に埋め込まれる筐体本体と前記筐体本体の下面開口を覆って天井面より下方に露出する化粧パネルとを有し、
前記空気吸込口は前記化粧パネルの後側部分に左右に長く形成して設けられ、
前記空気吹出口は前記化粧パネルの前側部分に左右に長く形成して設けられ、
前記フィルタは前記空気吸込口の上方で且つ前記熱交換器の後方の空間内に収納されている
ことを特徴とする空気調和機。
【請求項１４】
空気吸込口及び空気吹出口を有する筐体と、
前記筐体内に配置され、室内空気を前記空気吸込口より吸込み前記空気吹出口より吹出すファンと、
前記筐体内で前記ファンの空気吸込側に配置された熱交換器と、
前記筐体内で前記熱交換器の空気吸込側に配置されたフィルタと、
前記筐体内に配置され、前記フィルタに捕集された塵埃を除去する清掃装置と、を備えた空気調和機において、
前記フィルタは前記清掃装置に装着して当該清掃装置とユニット化され、
前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられている
ことを特徴とする空気調和機。
【発明の詳細な説明】
【技術分野】
【０００１】
本発明は、空気調和機に係わり、特にフィルタに捕集された塵埃を清掃する清掃装置を備えた天井埋込形空気調和機に好適なものである。
【背景技術】
【０００２】
清掃装置を備えた天井埋込形空気調和機としては、特開２００７−２７１１７４号公報（特許文献１）に示されたものがある。【０００３】
この空気調和機は、天井から懸架された筐体本体、吹出口を形成した化粧パネル及び同化粧パネルに装着され且つ吸込口を備えた吸込グリルからなる筐体と、前記吸込口の裏面に設けられたフィルタと、前記化粧パネルと前記筐体本体との間に設けられたフィルタ清掃手段と、前記吸込グリルと前記吹出口とを結ぶ空気流路に設けられたファン及び熱交換器と、を備えている。【０００４】
前記フィルタ清掃手段は、前記フィルタに付着した塵埃を除去する清掃ブラシ、前記清掃ブラシの回動を規制するロック部材及び除去された塵埃を回収する回収ブラシを内蔵し、前記清掃ブラシにより除去された塵埃を回収するフィルタ清掃ユニットと、前記フィルタ清掃ユニットを前記フィルタ上で移動させる駆動手段と、を備えている。【０００５】
また、清掃装置を備えた壁掛け形空気調和機としては、特開２００８−１１６１４０号公報（特許文献２）に示されたものがある。【０００６】
この空気調和機では、垂直な前面フィルタに捕集された塵埃を除去する前面清掃装置を前面熱交換器部の前面に設置している。前記前面清掃装置は、前記前面フィルタの掃除を行う掃除用刷毛と、摺接により掃除用刷毛に付着した塵埃を除去する傾斜植毛を施した除去ブラシと、掃除用刷毛を除去ブラシに摺接可能にする移動手段と、集塵開口を有し、除去した塵埃を貯留する集塵容器と、除去ブラシで除去した塵埃を集塵開口に移送する手段と、排出部が集塵開口に対向し、移送された塵埃の戻りを防止する傾斜植毛を施した塵埃戻り防止ブラシと、除去ブラシを塵埃戻り防止ブラシに摺接させる機構と、を備えている。
【先行技術文献】
【特許文献】
【０００７】
【特許文献１】特開２００７−２７１１７４号公報
【特許文献２】特開２００８−１１６１４０号公報
【発明の概要】
【発明が解決しようとする課題】
【０００８】
特許文献１の空気調和機では、次のような問題があった。【０００９】
化粧パネルと筐体本体との間にフィルタ清掃ユニットが追加されているため、筐体の高さ方向の寸法が大きくなってしまう、という問題があった。特に、室内天井面から天井内上面の荒床面までの寸法が短い住宅では、フィルタ清掃機能を備えた天井埋込形空気調和機を設置できない場合が出てしまう、という問題があった。【００１０】
また、吸込口の裏面にフィルタが設けられているので、フィルタの通風面積が吸込口の大きさに制約されて十分に大きくすることができず、騒音が高く、集塵性能が低くなってしまう、という問題があった。【００１１】
また、フィルタとフィルタ清掃手段とが独立して筐体に装着されているので、フィルタとフィルタ清掃ユニットとの位置関係を精度よく設定することが難しい、という問題があった。【００１２】
また、清掃ブラシで清掃された塵埃が清掃ブラシから回収ブラシへ渡されるのみであり、塵埃をフィルタ清掃ユニットのカバー内に確実に排出することが難しい、という問題があった。【００１３】
一方、特許文献２の空気調和機では、次のような問題があった。【００１４】
前面フィルタが垂直に設置されているので、前面フィルタの通風面積を十分に大きくとれず、騒音が高く、集塵性能が低くなってしまう、という問題があった。【００１５】
本発明の目的は、筐体の高さ寸法を大きくすることなく、騒音低減、集塵性能の向上を図ることができる空気調和機を提供することにある。
【課題を解決するための手段】
【００１６】
本発明の第１の態様では、空気吸込口及び空気吹出口を有する筐体と、前記筐体内に配置され、室内空気を前記空気吸込口より吸込み前記空気吹出口より吹出すファンと、前記筐体内で前記ファンの空気吸込側に配置された熱交換器と、前記筐体内で前記熱交換器の空気吸込側に配置されたフィルタと、前記筐体内に配置され、前記フィルタに捕集された塵埃を清掃する清掃装置と、を備えた空気調和機において、前記熱交換器の下部が前側にその上部が後側に位置するように傾斜して当該熱交換器を前記ファンの背面側に設置し、前記熱交換器の傾斜面に沿うように傾斜して前記フィルタを前記熱交換器の背面後方に設置し、前記フィルタの吸込み側に捕集された塵埃を前記フィルタの背面側で清掃するように前記清掃装置を設置したことにある。【００１７】
係る本発明の第１の態様におけるより好ましい具体的構成例は次の通りである。
（１）前記ファンは左右方向に長い貫流ファンで構成され、前記筐体は天井面内に埋め込まれる筐体本体と前記筐体本体の下面開口を覆って天井面より下方に露出する化粧パネルとを有し、前記空気吸込口は前記化粧パネルの後側部分に左右に長く形成して設けられ、前記空気吹出口は前記化粧パネルの前側部分に左右に長く形成して設けられ、前記フィルタは前記空気吸込口の上方で且つ前記熱交換器の後方の空間内に収納されると共に、前記清掃装置に装着して当該清掃装置とユニット化され、前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられていること。
（２）前記（１）において、前記清掃部は、回転ブラシと、静止ブラシと、前記回転ブラシ及び前記静止ブラシを保持するブラシ保持ケースと、前記フィルタから清掃された塵埃を溜めるダストボックスとをユニット化して構成され、前記回転ブラシは、前記フィルタに捕集された塵埃を清掃する清掃ブラシと、前記回収ブラシに回収された塵埃を前記ダストボックスへ排出する排出ブラシとを備え、前記静止ブラシは前記清掃ブラシで清掃された塵埃を回収する回収ブラシを備えたこと。
（３）前記（２）において、前記ダストボックスの側面形状は前記熱交換器の後方の空間の側面から見た略三角形状とほぼ一致する略三角形状になっていること。
（４）前記（３）において、前記ブラシ保持ケースは、その反往路進行方向側の側面に、清掃時に前記清掃ブラシを通過して前記フィルタから落下した塵埃を受けて前記ダストボックス内に案内する滑り台を設けていること。
（５）前記（３）において、前記ダストボックスは、その下面に設けられ且つ電気掃除機のノズルを挿入可能な開口と、この開口を塞ぐカバーとを備えていること。
（６）前記（２）において、前記支持体は前記清掃部の待機位置に対応して第１凹部及び第２凹部を隣接して設けており、前記清掃部は前記回転ブラシの回転を制御するアームを備え、前記アームは、二股状に形成された第１アーム部及び第２アーム部を有して回転可能に前記ブラシ保持ケースに支持され、前記第１アーム部は、前記清掃部の待機位置で前記第１凹部内に開放され、前記清掃部の動作の開始後に当該第１凹部の角部に当接して回動され、前記第２アーム部は、前記第１アーム部の回動に伴って回動されて前記第２凹部内に開放された後に当該第２凹部の角部に当接されてさらに回動されること。
（７）前記（２）において、前記清掃部は、一側から他側に向かって移動する往路では、前記清掃ブラシが前記フィルタに接触して清掃を行い、折り返し地点では、前回のフィルタ清掃時に前記回収ブラシに回収して付着した塵埃を前記排出ブラシにより前記ダストボックスに落下させると共に、今回のフィルタ清掃時に捕集した塵埃を前記排出ブラシが通過した後の前記回収ブラシに付着させるように動作されること。
（８）前記（７）において、前記清掃部は、折り返し地点から待機状態に戻る往路では、前記清掃ブラシ及び前記排出ブラシを前記ブラシ保持ケース内に収納した状態に維持されること。
（９）前記フィルタは前記清掃装置に装着して当該清掃装置とユニット化され、前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられていること。
（１０）前記清掃装置は、前記フィルタに沿って移動して当該フィルタの清掃を行う清掃部とこの清掃部を駆動する駆動部と備え、前記清掃部は、回転ブラシと、静止ブラシと、前記回転ブラシ及び前記静止ブラシを保持するブラシ保持ケースと、前記フィルタから清掃された塵埃を溜めるダストボックスとをユニット化して構成され、前記回転ブラシは、前記フィルタに捕集された塵埃を清掃する清掃ブラシと、前記静止ブラシに回収された塵埃を前記ダストボックスへ排出する排出ブラシとを備え、前記静止ブラシは前記清掃ブラシで清掃された塵埃を回収する回収ブラシを備えたこと。
（１１）前記清掃装置は回転ブラシと前記回転ブラシにより前記フィルタから清掃された塵埃を溜めるダストボックスとを有する清掃部を備え、前記清掃部は前記フィルタに捕集された塵埃を清掃する動作の後に短距離往復動作を複数回繰り返して前記回転ブラシに付着した塵埃を前記ダストボックスに落下させるものであること。【００１８】
また、本発明の第２の態様では、空気吸込口及び空気吹出口を有する筐体と、前記筐体内に配置され、室内空気を前記空気吸込口より吸込み前記空気吹出口より吹出すファンと、前記筐体内で前記ファンの空気吸込側に配置された熱交換器と、前記筐体内で前記熱交換器の空気吸込側に配置されたフィルタと、前記筐体内に配置され、前記フィルタに捕集された塵埃を除去する清掃装置と、を備えた空気調和機において、前記ファンは左右方向に長い貫流ファンで構成され、前記筐体は天井面内に埋め込まれる筐体本体と前記筐体本体の下面開口を覆って天井面より下方に露出する化粧パネルとを有し、前記空気吸込口は前記化粧パネルの後側部分に左右に長く形成して設けられ、前記空気吹出口は前記化粧パネルの前側部分に左右に長く形成して設けられ、前記フィルタは前記空気吸込口の上方で且つ前記熱交換器の後方の空間内に収納されていることにある。【００１９】
また、本発明の第３の態様では、空気吸込口及び空気吹出口を有する筐体と、前記筐体内に配置され、室内空気を前記空気吸込口より吸込み前記空気吹出口より吹出すファンと、前記筐体内で前記ファンの空気吸込側に配置された熱交換器と、前記筐体内で前記熱交換器の空気吸込側に配置されたフィルタと、前記筐体内に配置され、前記フィルタに捕集された塵埃を除去する清掃装置と、を備えた空気調和機において、前記フィルタは前記清掃装置に装着して当該清掃装置とユニット化され、前記清掃装置は、前記フィルタに沿って移動して当該フィルタの清掃を行う清掃部とこの清掃部を駆動する駆動部とこれらの清掃部及び駆動部を支持する支持体とをユニット化して備えると共に、前記フィルタをユニット化した状態で前記筐体に取り付けられていることにある。
【発明の効果】
【００２０】
本発明の空気調和機によれば、筐体の高さ寸法を大きくすることなく、騒音低減、集塵性能の向上を図ることができる。
【図面の簡単な説明】
【００２１】
【図１】本発明の一実施形態に係る空気調和機の斜視図である。
【図２】図１の空気調和機の縦断面図である。
【図３】図２の清掃装置の分解斜視図である。
【図４】図２の清掃装置の正面図である。
【図５】図４の側面図である。
【図６】図４の清掃装置の端部の拡大図である。
【図７】図６の側面図である。
【図８】図６の清掃部本体の分解斜視図である。
【図９】図８の回転ブラシの分解斜視図である。
【図１０Ａ】図２の空気調和機における清掃部の待機状態を示す断面図である。
【図１０Ｂ】図１０Ａから清掃装置の動作が開始された直後の清掃部の状態を示す断面図である。
【図１０Ｃ】図１０Ｂから清掃装置の動作がさらに進んだ状態の清掃部を示す断面図である。
【図１０Ｄ】図１０Ｃから清掃装置の動作がさらに進んで清掃部が往復折り返し地点に至った状態の清掃部を示す断面図である。
【図１０Ｅ】図１０Ｄから清掃装置の動作がさらに進んだ状態の清掃部を示す断面図である。
【図１０Ｆ】図１０Ｅから清掃装置の動作が復路に移行した直後の清掃部を示す断面図である。
【図１０Ｇ】図１０Ｆから清掃装置の動作がさらに復路で進行した状態の清掃部を示す断面図である。
【図１０Ｈ】図１０Ｇから清掃部が待機位置に戻った後に清掃装置の動作が再度開始された直後の清掃部を示す断面図である。
【図１１】本実施形態の清掃部のブラシ保持ケースからダストボックスを取り外した状態の斜視図である。
【図１２】本実施形態の清掃部の正面図である。
【図１３】図１２の中央縦断面図である。
【発明を実施するための形態】
【００２２】
以下、本発明の空気調和機の一実施形態を、添付図面を参照しながら説明する。
【００２３】
まず、本実施形態の空気調和機１の全体構成に関して、図１及び図２を参照しながら説明する。図１は空気調和機１の設置状態を示す斜視図、図２は図１の空気調和機１の縦断面図である。ここで、図１及び図２は吸込パネル４及び吹出パネル２２が開いた状態を示す。なお、本実施形態の空気調和機１は天井埋込形空気調和機である。
【００２４】
空気調和機１は、筐体３０、ファン８、ファンモータ１０、熱交換器９、フィルタ１１、清掃装置５等を備えて構成されている。
【００２５】
筐体３０は、天井面３１内に埋め込まれる筐体本体２と、この筐体本体２の下面開口を覆う化粧パネル３とから構成されている。この筐体３０は、吊ボルト３２を介して、天井内の上壁面に吊り下げられている。筐体本体２は、横幅寸法より奥行寸法が小さく、奥行寸法より高さ寸法が小さい直方体の外観形状をしている。なお、天上面３１には筐体本体２の下面に合致する位置に四角の穴が形成される。
【００２６】
化粧パネル３は、筐体本体２の下面開口と天上面３１の穴の縁部とを覆って天井面３１より下方に露出するように配置されている。この化粧パネル３は筐体本体２に取り付けられている。筐体３０の下面を構成する化粧パネル３には、空気吸込口３０ａ及び空気吹出口３０ｂが設けられている。空気吸込口３０ａは化粧パネル３の後側部分に左右に長く設けられている。空気吹出口３０ｂは化粧パネル３の前側部分に左右に長く設けられている。
【００２７】
ファン８は、室内空気を空気吸込口３０ａより吸込み、空気吹出口３０ｂより吹出すように、筐体本体２内に配置されている。このファン８は左右方向に長い貫流ファンで構成されている。ファン８を駆動するファンモータ１０は、ファン８の左右方向の一側に並置され、ファン８及びファンモータ１０の回転軸同士が連結されている。
【００２８】
化粧パネル３には、空気吸込口３０ａを開閉する吸込パネル４と、空気吹出口３０ｂを開閉する吹出パネル２２とが備えられている。吸込パネル４及び吹出パネル２２は、空気調和機１の運転時に開き、停止時に閉じられるように駆動される。
【００２９】
吸込パネル４は、前側が回転可能に軸支され、後側が吸込パネル昇降アーム７ａの下端に支持され、吸込パネル昇降アーム７ａの上下動によって回動される。この吸込パネル４の回動動作により、空気吸込口３０ａが開閉される。吸込パネル昇降アーム７ａは、アーム昇降ギアユニット７により上下動するように駆動される。
【００３０】
吹出パネル２２は、後側が回転可能に軸支され、吹出パネル駆動モータにより回動される。この吹出パネル２２は風向を上下させる吹出風向板を兼ねており、吹出パネル２２の開閉角度の調整により、室内に送り出される風向を調整できる。吹出パネル２２は、冷房時に空気吹出口３０ｂから主に前方に風を吹出し、暖房時に主に下方に風を吹出すように駆動される。
【００３１】
熱交換器９は、筐体３０内で、ファン８の空気吸込側に配置されている。この熱交換器９は、ファン８の背面側に設けられた背面熱交換器部９ａと、ファン８の下面側に設けられた下面熱交換器部９ｂとから構成されている。背面熱交換器部９ａは、その下部が前側（ファン側）に、その上部が後側（反ファン側）に位置するように傾斜して設置されている。下面熱交換器部９ｂは、その前側が若干低くなるように傾斜して設置されている。背面熱交換器部９ａの下端部から下面熱交換器部９ｂが連続的に前方下方にファン８を取り囲むように延びている。係る構成によって、高さ寸法を増大することなく、熱交換器９の通風面積を増大することができ、低騒音で熱交換性能を向上することができ、天井埋込形空気調和機に適したものとなっている。また、熱交換器９の背面側には、側面から見て略三角形状の空間が形成されることとなる。
【００３２】
熱交換器９は冷凍サイクルの一部を構成するものである。冷凍サイクルは、圧縮機、四方弁、室外熱交換器、減圧装置、熱交換器９、四方弁、圧縮機の順に冷媒を循環させるように構成されている。熱交換器９（背面熱交換器部９ａ及び下面熱交換器部９ｂ）は、左右方向に並置された多数のプレートフィンと、これらのプレートフィンを貫通する蛇行状の冷媒管とから構成されている。熱交換器９の通風部の横幅とファン８の横幅とは、ほぼ同一となっている。
【００３３】
フィルタ１１は、熱交換器９に流入する室内空気の塵埃を捕集するものであり、筐体３０内で熱交換器９の空気吸込側に配置される。フィルタ１１は、清掃中に、移動されることなく静止された状態で設置されている。
【００３４】
このフィルタ１１は、熱交換器部９の背面後方の略三角形状の空間に設置されており、背面熱交換器部９ａの傾斜面に沿って傾斜している。具体的には、フィルタ１１は空気吸込口３０ａの上方で且つ背面熱交換器部９ａの後方の空間内に傾斜して収納されている。係る構成によって、空気調和機１の高さ寸法を増大することなく、フィルタ１１の通風面積を増大することができ、低騒音で集塵性能を向上することができ、天井埋込形空気調和機に適したものとなっている。
【００３５】
清掃装置５は、筐体３０内に配置され、フィルタ１１に捕集された塵埃を清掃して回収するものであり、フィルタ１１の吸込み側に捕集された塵埃を当該フィルタ１１の背面側で清掃して回収する。係る構成によって、空気調和機１の高さ寸法を増大することなく、傾斜したフィルタ１１の背面側空間を利用して塵埃の清掃、回収を行うことができ、天井埋込形空気調和機に適したものとなっている。
【００３６】
空気調和機１が運転されると、圧縮機が駆動されて冷凍サイクルが動作し、アーム昇降ギアユニット７が駆動されて吸込パネル４が回動して空気吸込口３０ａを開き、吹出パネル駆動モータが駆動されて吹出パネル２２が回動して空気吹出口３０ｂを開き、ファンモータ１０が駆動されてファン８が回転する。
【００３７】
このファン８の回転によって、室内空気は、空気吸込口３０ａを通して筐体３０内に吸込まれ、フィルタ１１を通過する。この際に室内空気に含まれる塵埃はフィルタ１１に捕集される。フィルタ１１を通過した室内空気は、熱交換器９により加熱、冷却、除湿等の空気調和が行われ、ファン８を通って、空気吹出口３０ｂ吹出口から再び室内空間に吹出される。
【００３８】
次に、図３から図７を参照しながら、清掃装置５を具体的に説明する。図３は図２の清掃装置５の分解斜視図、図４は図２の清掃装置５の正面図、図５は図４の側面図、図６は図４の清掃装置５の端部の拡大図、図７は図６の側面図である。なお、図４では駆動モータ１４ａを省略してある。
【００３９】
清掃装置５は、フィルタ１１に沿って移動して当該フィルタ１１の清掃を行う清掃部１３と、この清掃部１３を駆動する駆動部１４と、これらのフィルタ１１、清掃部１３及び駆動部１４を支持する支持体６とをユニット化して備えている。係る構成によって、フィルタ１１を静止した状態で当該フィルタ１１に捕集された塵埃を清掃しつつ回収でき、効率よく塵埃の清掃、回収を行うことができる。
【００４０】
また、フィルタ１１は清掃装置５に装着して当該清掃装置５とユニット化され、清掃装置５はフィルタ１１をユニット化した状態で筐体１１に取外し可能に取り付けられている。係る構成によって、フィルタ１１と清掃装置５との位置関係を精度良く設定できると共に、フィルタ１１及び清掃装置５を筐体本体２に簡単な取付作業で取り付けることができる。
【００４１】
フィルタ１１は２枚のフィルタ１１Ａ、１１Ｂで構成されている。各フィルタ１１Ａ、１１Ｂは、格子状のフィルタ枠１１ａと、このフィルタ枠１１ａの表面に張設されたフィルタ網１１ｂとを備えている。室内空気がこのフィルタ網１１ｂを通過する際に、室内空気の塵埃がフィルタ網１１ｂに捕集される。
【００４２】
２枚のフィルタ１１Ａ、１１Ｂは、支持体６の背面側に左右に隣接して配置され、清掃装置５にユニット化されている。各フィルタ１１Ａ、１１Ｂの両側には突条部１１ｃが形成されている。突条部１１ｃに対応する支持体６の部分には、背面方向に突出したフィルタ抑え６ｄが形成されている。突条部１１ｃが支持体６に設けられたフィルタ抑え６ｄに係合されることよって、各フィルタ１１Ａ、１１Ｂが支持体６に保持される。
【００４３】
支持体６は略長方形の板状部材で構成されている。フィルタ１１に対面する支持体６の部分は、フィルタ枠１１ａとほぼ同じ形状に形成された支持体枠部６ａとなっている。室内空気はフィルタ網１１ｂ、フィルタ枠１１ａの穴及び支持体枠部６ａの穴を通って流れる。
【００４４】
支持体６には、清掃部１３の移動に用いられるレール部６ｂ、６ｃが設けられている。レール部６ｂ、６ｃは、支持体６の上下両端に設けられ、左右に平行に延びる断面コ字状に形成されている。
【００４５】
支持体６の上端部には、背面方向に突出するフランジ部６ｅが設けられている。このフランジ部６ｅは、支持体６の全体にわたって左右に延びている。フランジ部６ｅの下には、ウォームギア３６と係合するラック６ｆが設けられている。このラック６ｆはレール部６ｂ、６ｃと平行に左右に延びている。
【００４６】
アーム１７の移動経路の支持体６の部分には、アーム１７の動作を制御する複数の凹部６ｈ、６ｉ、６ｊが設けられている（図１０参照）。第１凹部６ｈ及び第２凹部６ｉは清掃部１３の待機位置に対応して設けられている。２つの凹部６ｈ、６ｉはリブ６ｋを介して隣接して設けられている。第３凹部６ｊは清掃部１３の折り返し位置に対応して設けられている。
【００４７】
清掃部１３は、全体が概略縦長箱状であり、支持体６の背面を左右方向に移動可能に配置されている。この清掃部１３は清掃部本体３７及びキャスタ３３を備えている。キャスタ３３は清掃部本体３７の上下端部に設けられている。キャスタ３３がレール部６ｂ、６ｃを転動して、清掃部１３が支持体６の背面を左右に移動する。
【００４８】
駆動部１４は、清掃部１３を左右方向に駆動するためのものであり、ステッピングモータで構成された駆動モータ３４と、駆動モータ３４の駆動力を清掃部１３に伝達するための伝達シャフト３５と、伝達シャフト３５の回転運動を清掃部１３の左右往復運動に変換するウォームギア３６とからなっている。
【００４９】
駆動モータ３４は支持体６の一側端部（右側端部）に取り付けられている。伝達シャフト３５は、レール部６ｂ、６ｃと平行に左右に延びており、その一端が駆動モータ３４に連結され、他端が支持体６に回動可能に支持されている。ウォームギア３６は、その中心穴内に伝達シャフト３５を嵌合すると共に、その外周が支持体６のラック６ｆに係合されている。このウォームギア３６は清掃部１３のウォームギア抑え１３ａによって保持されている。
【００５０】
駆動モータ３４の駆動により伝達シャフト３５が回転されると、ウォームギア３６が回転され、これに伴ってラック６ｆに係合されたウォームギア３６がラック６ｆ及び伝達シャフト３５の長手方向（左右方向）に移動される。これによって、ウォームギア３６をウォームギア抑え１３ａにより保持している清掃部１３が左右方向に移動される。
【００５１】
次に、図８から図１０Ａを参照しながら、清掃部本体３７を具体的に説明する。図８は図６の清掃部本体３７の分解斜視図、図９は図８の回転ブラシ１５の分解斜視図、図１０Ａは図６の清掃部１３の待機状態における断面図である。
【００５２】
清掃部本体３７は、図８に示すように、回転ブラシ１５と、静止ブラシ１８と、回転ブラシ１５及び静止ブラシ１８を保持するブラシ保持ケース１６と、回転ブラシ１５の回転を制御するアーム１７と、フィルタ１１から清掃された塵埃を溜めるダストボックス１９と、ばね２０とをユニット化して構成されている。
【００５３】
回転ブラシ１５は、図９及び図１０Ａに示すように、フィルタ１１に捕集された塵埃を清掃する清掃ブラシ１５ａと、この清掃ブラシ１５ａを支持する清掃ブラシ基部１５ｂと、この清掃ブラシ基部１５ｂを支持する清掃ブラシ台１５ｄと、回収ブラシ１８ａに付着して回収された塵埃をダストボックス１９へ排出する排出ブラシ１５ｅと、清掃ブラシ台１５ｄ及び排出ブラシ１５ｅを保持する回転ブラシ台１５ｃと、衝撃吸収部材１５ｆと、を備えて構成されている。
【００５４】
清掃ブラシ１５ａは、フィルタ１１に接触して当該フィルタ１１に捕集された塵埃を清掃するものであり、ナイロン（登録商標）製の多数の毛で構成されている。清掃ブラシ１５ａは、長い毛の列と、その片側にそれよりも若干短い毛の列とからなっている。係る構成によって、清掃ブラシ１５ａの清掃時のフィルタ１１との摺動抵抗が少なく、しかもフィルタ１１から塵埃を確実に清掃できる機能を有する。清掃ブラシ基部１５ｂは、清掃ブラシ１５ａを植毛して支えるゴム製部材で構成されている。
【００５５】
清掃ブラシ１５ａの１回の移動でフィルタ１１の全面を清掃できるように、清掃ブラシ１５ａ及び清掃ブラシ基部１５ｂの長さ方向の設置寸法はフィルタ１１の高さ方向の寸法とほぼ同一に設定されている。
【００５６】
清掃ブラシ台１５ｄは略コ字状の樹脂製帯状部材で構成されている。この清掃ブラシ台１５ｄには、清掃ブラシ基部１５ｂの根本部が収納されて保持されている。清掃ブラシ台１５ｄには、回転ブラシ台１５ｃとの係止部を構成する複数の係止用爪１５ｄ１が一体に形成されている。
【００５７】
回転ブラシ台１５ｃは、細長い樹脂製箱状部材で構成されている。回転ブラシ台１５ｃの前面には、長手方向に延びる清掃ブラシ挿入穴１５ｃ１と、この清掃ブラシ挿入穴１５ｃ１の両側に位置して係合部を構成する複数の爪係合穴１５ｃ２とが形成されている。清掃ブラシ台１５ｄの係止用爪１５ｄ１が回転ブラシ台１５ｃの爪係合穴１５ｃ２に挿入されて回転ブラシ台１５ｃに係止されることによって、清掃ブラシ台１５ｄが回転ブラシ台１５ｃに保持されると共に、清掃ブラシ１５ａ及び清掃ブラシ基部１５ｂの先端側が清掃ブラシ挿入穴１５ｃ１を通して外方へ露出される。
【００５８】
回転ブラシ台１５ｃの上下面には、当該回転ブラシ台１５ｃの回動中心となる回動軸１５ｃ３が突出して設けられている。回転ブラシ台１５ｃの左右両側の側面には、外方に凸面となる円弧面が形成されている。この回転ブラシ台１５ｃの左右両側の側面には、複数の切欠き１５ｃ４が設けられている。各切欠き１５ｃ４には、ゴム部材で構成された衝撃吸収部材１５ｆが取り付けられている。
【００５９】
排出ブラシ１５ｅは、回転ブラシ台１５ｃの円弧面に取り付けられ、円弧状に構成されている。この排出ブラシ１５ｅの円弧は、回収ブラシ１８ａの円弧とほぼ同じ半径及び中心点となっている。
【００６０】
静止ブラシ１８は、図８及び図１０Ａに示すように、清掃ブラシ１５ａで清掃された塵埃を受け取る回収ブラシ１８ａと、回収ブラシ１８ａを支持する静止ブラシ台１８ｂと、静止ブラシ係止部１８ｃと、静止ブラシ台１８ｂの両端から突出して設けられた支持軸１８ｄと、塵埃の受け渡しを補助する凹凸部１８ｅと、を備えて構成されている。
【００６１】
静止ブラシ台１８ｂには、内方に凹入する円弧面が形成されている。回収ブラシ１８ａは、静止ブラシ台１８ｂの円弧面に取り付けられ、円弧状に構成されている。
【００６２】
ブラシ保持ケース１６は、長方形の樹脂製枠部材で構成されている。ブラシ保持ケース１６の上下面には、回転軸穴１６ａが形成されている。この回転軸穴１６ａに回転ブラシ台１５ｃの回動軸１５ｃ３が回動可能に挿入されることにより、回転ブラシ１５がブラシ保持ケース１６に回動可能に保持される。
【００６３】
また、ブラシ保持ケース１６の上下面には、支持軸穴１６ｅが形成されている。この支持軸穴１６ｅに静止ブラシ１８の支持軸１８ｄが挿入されることにより、静止ブラシ１８がブラシ保持ケース１６に保持される。
【００６４】
ブラシ保持ケース１６の一方の側面の内側には、静止ブラシ係合部１６ｂが突出して形成されている。この静止ブラシ係合部１６ｂに静止ブラシ１８の係止部１８ｃが係合されることにより、静止ブラシ１８がブラシ保持ケース１６に静止状態に保持される。ブラシ保持ケース１６の他方の側面の内側には、滑り台部１６ｆが側面の全幅にわたって突出して形成され、その先端部に回転抑制部１６ｄが形成されている。
【００６５】
さらに、ブラシ保持ケース１６の左右両側の側面には、複数の爪からなるダストボックス係止部１６ｃが形成されている。
【００６６】
アーム１７は、第１アーム部１７ａ、第２アーム部１７ｂ、回動軸係合穴１７ｃを備えている。このアーム１７は、ブラシ保持ケース１６の内側に配置され、回動軸１５ｃ３を回動軸係合穴１７ｃに嵌合することにより、回動軸１５ｃ３に回動可能に支持されている。第１アーム部１７ａ及び第２アーム部１７ｂは、回動軸係合穴１７ｃを中心として放射状に延びており、二股状に形成されている。
【００６７】
ばね２０は、３種類のばね、即ち、回転ブラシ用ばね２０ａ、アーム用ばね２０ｂ及び静止ブラシ用ばね２０ｃ、からなっている。
【００６８】
回転ブラシ用ばね２０ａは、回転ブラシ１５を回転させるものであり、清掃ブラシ１５ａ及び排出ブラシ１５ｅが回収ブラシ１８ａ側を通ってブラシ保持ケース１６内に収納される方向に回転ブラシ台１５ｃを回転させる。即ち、回転ブラシ１５は、回転ブラシ用ばね２０ａの力によって静止ブラシ１８の方向に回転され、回転ブラシ台１５ｃの衝撃吸収部材１５ｆがブラシ保持ケース１６に設けられた回転抑制部１６ｄに当接することによって回転が停止される。回転ブラシ台１５ｃと回転抑制部１６ｄとの衝突音を抑制するために、回転ブラシ台１５ｃの当接部となる部分に衝撃吸収部材１５ｆを設け、衝撃を吸収することにより、衝突音を軽減すると共に、構成部品への損害を抑えている。
【００６９】
アーム用ばね２０ｂは、当該アーム用ばね２０ｂに外力が加わらない限り、アーム１７の凸部１７ｄが回転ブラシ台１５ｃの凸部１５ｃ５に常に接触するように当該アーム１７を押し付けるものである。
【００７０】
静止ブラシ用ばね２０ｃは、当該静止ブラシ用ばね２０ｃに外力が加わらない限り、静止ブラシ１８を回転ブラシ台１５ｃに押し付けるものである。
【００７１】
ダストボックス１９は、細長い樹脂製箱状部材で構成され、前面が開口されている。このダストボックス１９の左右両側の側面には、ブラシ保持ケース係合穴１９ａが複数形成されている。ダストボックス係止部１６ｄが係合穴１９ａに係合することにより、ダストボックス１９はブラシ保持ケース１６保持される。
【００７２】
ダストボックス１９の側面形状は、背面熱交換器部９ａの後方の空間の側面から見た略三角形状とほぼ一致するように、略三角形状になっている。係る構成によって、筐体３０を大きくすることなく、ダストボックス１９の塵埃収納量を増大することができる。
【００７３】
また、ダストボックス１９は、傾斜したフィルタ１１の背面に沿うように位置して移動されるので、フィルタ１１に捕集された塵埃を清掃ブラシ１５ａで清掃する際に、フィルタ１１より落下する塵埃があった場合に、滑り台１６ｆで受けてそのままダストボックス１９内に収納することができる。
【００７４】
次に、清掃部１３の動作について、図１０Ａ〜図１０Ｈを参照しながら説明する。
【００７５】
図１０Ａは、図２の空気調和機１における清掃部１３の待機時（清掃装置５の停止時）の状態を示し、空気調和機１の運転停止時または空気調和機１の運転中においてフィルタ清掃機能停止時の状態である。
【００７６】
この待機状態では、第１アーム部１７ａは支持体６の第１凹部６ｈ内に拘束されない状態で配置され、第２アーム部１７ｂは支持体６から離れた状態で配置されている。ここで、回転ブラシ１５は、回転ブラシ用ばね２０ａにより静止ブラシ１８の方向（時計方向）に回転力が加えられているので、静止ブラシ１８の方向に回転され、回転ブラシ台１５ｃの衝撃吸収部材１５ｆがブラシ保持ケース１６の回転抑制部１６ｄの当接されるまで回転されて停止される。また、回転ブラシ１５が回転を停止した後も、回転ブラシ用ばね２０ａの張力を残し、回転ブラシ１５にテンションを掛ける事により、回転ブラシ１５は回転停止状態を保つことができる。図１０Ａの待機状態では、清掃ブラシ１５ａは他部品に干渉していないので、毛の変形を最小限に抑えられる。
【００７７】
図１０Ｂは、図１０Ａから清掃装置５の動作が開始された直後の清掃部１３の状態を示す断面図である。
【００７８】
清掃装置５の動作が開始されると、駆動部１４の駆動モータ３４が始動して伝達シャフト３５が回転され、この伝達シャフト３５の回転がウォームギア３６に伝達される。ウォームギア３６がウォームギア抑え１３ａで保持されているので、清掃部１３は、図１０Ｂの矢印の往路進行方向に移動し始める。
【００７９】
清掃部１３が移動を始めると、第１凹部６ｈ内で解放されていた第１アーム部１７ａが第１凹部６ｈの角部に当接されることにより第１アーム部１７ａが反時計方向に回動され、さらに、アーム１７の凸部１７ｄと回転ブラシ台１５ｃの凸部１５ｃ５とが当接されることで、回転ブラシ１５が回転ブラシ用ばね２０ａの回転力に対抗して反時計方向に回動される。この回転ブラシ１５の回動に伴って、清掃ブラシ１５ａ及び排出ブラシ１５ｅがフィルタ１１の方向（反時計方向）に回転して起き上がる。また、アーム１７の回動に伴って、第２アーム部１７ｂも起き上がり、第１凹部６ｈに隣接して支持体６に設けられた第２凹部６ｉ内に入る。
【００８０】
図１０Ｃは、図１０Ｂから清掃装置５の動作がさらに進んだ状態の清掃部１３を示す断面図である。
【００８１】
図１０Ｂから清掃部１３がさらに移動されると、第２凹部６ｉ内で解放されていた第２アーム部１７ｂが凹部６ｉの角部に当接されることにより、第２アーム部１７ｂが反時計方向に回動される。これによって、回転ブラシ１５が回転ブラシ用ばね２０ａの回転力に対抗して反時計方向にさらに回動され、清掃ブラシ１５ａ及び排出ブラシ１５ｅがさらに回転して起き上がる。
【００８２】
これにより、清掃ブラシ１５ａが回転ブラシ台１５ｃからフィルタ１１に対して直角となるように起き上がり、フィルタ１１を清掃することができる状態となると共に、第２アーム部１７ｂが支持体６の表面であるアーム当接面を摺動される状態となる。
【００８３】
本実施形態では、上述のように、アーム１７を第１アーム部１７ａと第２アーム部１７ｂとの２段のアーム部で構成し、隣接する凹部６ｈ、６ｉとの関係で歯車のように回転させることにより、スペースファクタの良好な回転半径の小さいアーム１７を用いてアーム１７及び回転ブラシ１５の回転角を大きくとれる。
【００８４】
清掃部１３がさらに移動されると、清掃ブラシ１５ａの先端がフィルタ１１に接触して反進行方向に変形され、フィルタ１１に捕集された塵埃を清掃して清掃ブラシ１５ａに捕集する。
【００８５】
この場合において、清掃ブラシ１５ａがフィルタ１１との摩擦によって必要以上に回転することを防ぐため、回転ブラシ台１５ｃと回転抑制部１６ｄとを所定位置で当接させることで、清掃ブラシ１５ａの回転を抑制するようにしてある。また、清掃ブラシ１５ａの回転を抑制する角度を、清掃ブラシ１５ａとフィルタ１１とが直角になる角度から、それ以上回転できるように遊びを持たせている。その理由は、清掃装置５、フィルタ１１及びレール１２ａ、１２ｂの歪みや小さな凹凸による正確な平行移動が困難な場合においても、圧縮力及びせん断力による構成部品の破損を防止するためである。
【００８６】
清掃ブラシ１５ａが移動する際に、当該清掃ブラシ１５ａで捕集しきれず、当該清掃ブラシ１５ａを通過してしまった塵埃がフィルタ１１から落下するおそれがある。そこで、本実施形態では、ブラシ保持ケース１６の反往路進行方向側の側面に滑り台１６ｂを設け、清掃ブラシを通過してしまった塵埃がフィルタ１１から落下しても、滑り台部１６ｆで受けられてダストボックス１９内に案内されるようになっている。
【００８７】
図１０Ｄは図１０Ｃから清掃装置５の動作がさらに進んで清掃部１３が往復折り返し地点に至った状態の清掃部１３を示す断面図、図１０Ｅは図１０Ｄから清掃装置５の動作がさらに進んだ状態の清掃部１３を示す断面図である。
【００８８】
清掃部１３が往復折り返し地点に至ると、支持体６のアーム当接面に接していた第２アーム部１７ｂは、支持体６の折返し地点に設けられた第３凹部６ｊに入り、他部品との干渉がなくなって解放される。これによって、アーム１７はアーム用ばね２０ｂの回転力により時計方向に回転され、回転ブラシ１５は回転ブラシ用ばね２０ａの回転力により時計方向に回転される。
【００８９】
回転ブラシ１５の回転によって、排出ブラシ１５ｅが回収ブラシ１８ａと擦りながら時計方向に回転動作される。ここで、排出ブラシ１５ｅ及び回収ブラシ１８ａの毛が互いに対向して斜め下方に（ダストボックス１９の底部方向に）向いているので、回収ブラシ１８ａに回収されて付着していた塵埃は、排出ブラシ１５ｅにより掻き取られてダストボックス１９内に排出される。
【００９０】
また、回転ブラシ１５の回転によって、清掃ブラシ１５ａが排出ブラシ１５ｅよりも遅れて回収ブラシ１８ａに擦りながら回転動作される。ここで、図１０Ｄに示すように、清掃ブラシ１５ａが回収ブラシ１８ａの向きと反対側に変形されるので、清掃ブラシ１５ａに付着した塵埃のほとんどは、回収ブラシ１８ａに渡されことなく、清掃ブラシ１５ａと共に移動される。
【００９１】
そして、清掃ブラシ１５ａが静止ブラシ１８の凹凸部１８ｅを通る際に、凹突部１８ｅが櫛として機能し、塵埃の一部が凹凸部１８ｅに渡されると共に、塵埃の一部がダストボックス１９内に落下され、残りの塵埃が清掃ブラシ１５ａに付着した状態となる。そして、排出ブラシ１５ｅ及び清掃ブラシ１５ａがさらに回転されてブラシ保持ケース１６及びダストボックス１９内に収納され、衝撃吸収部材１５ｆが回転抑制部１６ｄに当接することで回転が静止され、図１０Ｅに示す状態となる。
【００９２】
図１０Ｆは図１０Ｅから清掃装置の動作が復路に移行した直後の清掃部１３を示す断面図、図１０Ｇは図１０Ｆから清掃装置の動作がさらに復路で進行した状態の清掃部１３を示す断面図である。
【００９３】
図１０Ｅの状態から清掃部１３が復路の進行を始めると、図１０Ｆに示すように、第１アーム部１７ａの傾斜面側が支持体６に当接される。
【００９４】
清掃部１３が復路をさらに進むと、回転ブラシ台１５ｃの凸部１５ｃ５とアーム１７の凸部１７ｄとを押し付けていたアーム用ばね２０ｂの力に対抗して第１アーム部１７ａを支持体６が押した状態となる。これによって、清掃部１３は、復路において、図１０Ｇに示すように、清掃ブラシ１５ａ及び排出ブラシ１５ｅがブラシ保持ケース１６及びダストボックス１９内に収納された状態のまま移動され、待機状態に戻る。このように、復路進行時に清掃ブラシ１５ａをブラシ保持ケース１６に収納し、フィルタ１１に接触しないようにすることで、塵埃の移動方向が１方向となり、塵埃の掃き戻しを防ぐことができる。
【００９５】
図１０Ｈは図１０Ｇから清掃部１３が待機位置に戻った後に清掃装置５の動作が再度開始された直後の清掃部１３を示す断面図である。
【００９６】
清掃装置５の動作が再度開始されると、図１０Ｂで述べた清掃部１３の動作が行われる。回転ブラシ１５の回転により、凹凸部１８ｂに残してきた塵埃を、今度は清掃ブラシ１５ａの往路進行方向後方に付着させることができる。さらに回転ブラシ１５が回転することで清掃ブラシ１５ａは再び回収ブラシ１８ａに接触するが、清掃ブラシ１５ａがフィルタ１１方向に回転し、起き上がる時は、回収ブラシ１８ａの逆目の方向に擦り合わさるので、塵埃は回収ブラシ１８ａに付着し、次回のフィルタ清掃時には清掃ブラシ１５ａはきれいな状態でフィルタ１１の清掃を行うことができる。
【００９７】
回収ブラシ１８ａに付着した塵埃は、次回のフィルタ清掃往復折り返し地点、つまり図１０Ｄのように、回転ブラシ１５がダストボックス１９方向に回転した際に、回転ブラシ台１５ｃに貼付された排出ブラシ１５ｅによって、ダストボックス１９の方向に掃かれる。これは、排出ブラシ１５ｅと回収ブラシ１８ａとの擦り合わせによるものであるが、排出ブラシ１５ｅの毛も回収ブラシ１８ａと同様、ダストボックス１９の方向に整列している。これによって、回転ブラシ１５がフィルタ１１の方向に起き上がる時には、回収ブラシ１８ａに付着している塵埃に影響を及ぼさないが、回転ブラシ１５がダストボックス１９の方向に回転する時は、排出ブラシ１５ｅが逆目となるので、回収ブラシ１８ａに付着している塵埃を、ダストボックス１９に掃き落とすことができる。
【００９８】
以上の一連の動作により、フィルタ１１に捕集された塵埃をダストボックス１９まで伝達することができるが、より確実に、効率的に塵埃をダストボックス１９に回収するために、清掃装置５は回転ブラシと回転ブラシ１５によりフィルタ１１から清掃された塵埃を溜めるダストボックス１９とを有する清掃部１３を備え、清掃部１３はフィルタ１１に捕集された塵埃を清掃する動作の後に短距離往復動作を複数回繰り返して回転ブラシ１５に付着した塵埃をダストボックス１９に落下させるようにしている。具体的には、フィルタ清掃による清掃部１３の１往復の後、排出ブラシ１５ｅと回収ブラシ１８ａとを複数回擦り合わせるようにしている。
【００９９】
次に、フィルタ清掃によってダストボックス１９に蓄積した塵埃の廃棄方法について説明する。
【０１００】
清掃部１３は支持体６によって着脱可能に支持されており、塵埃の廃棄時には清掃部本体３７を清掃装置５から取り外すことができる。清掃部本体３７全体が一体となって外れるため、ダストボックス１９に蓄積した塵埃を飛散させてしまうという不具合を解消することができる。
【０１０１】
そして、図１１に示すように、ダストボックス１９とブラシ保持ケース１６とが着脱可能となっており、ブラシ保持ケース１６からダストボックス１９を取り外すことにより、ダストボックス１９内に蓄積した塵埃を廃棄することができる。
【０１０２】
さらには、図１２及び図１３に示すように、ダストボックス１９の下面に開口部１９ｂが設けられている。この開口部１９ｂは、吸込パネル４を開いた状態で、空気吸込口３０ａに露出される。この開口に電気掃除機のノズル２５を挿入して吸引することで、清掃部１３を天井埋込形空気調和機１から取り外すことなく、容易に塵埃を廃棄することができる。
【０１０３】
そして、ダストボックス１９の開口部１９ｂにノズル２５を挿入しない状態では、この開口は回動可能なカバー２４により塞がれているので、ダストボックス９内の塵埃が開口から漏れることがない。ノズル２５の先端でカバー２４を押すことによってカバー２４が回動され、開口内にノズル２５の先端を挿入することができる。
【０１０４】
また、ノズル２５にはガイド２５ａが設けられているので、このガイド２５ａを利用して、ノズル２５の先端をダストボックス１９の開口部１９ｂに誘導することができる。ガイド２５ａを、例えば、化粧パネル３に当てるようにすることで、作業者による必要以上の力が加わることを防ぎ、構成部品の損傷を防ぐことができる。
【０１０５】
本実施形態によれば、フィルタ１１に塵埃が堆積した際、回転ブラシ１５を備えた清掃部１３が一側から他側に向かい移動を行う往路では、清掃ブラシ１５ａがフィルタ１１に接触して清掃を行う。また、折り返し地点において、前回のフィルタ清掃時に回収ブラシ１８ａに回収して付着した塵埃を排出ブラシ１５ｅによりダストボックス１９に落下させ、今回のフィルタ清掃時に捕集した塵埃を排出ブラシ１５ｅが通過した後の回収ブラシ１８ａに付着させることにより、人手を介することなく、容易にフィルタ清掃作業を行うことができる。また、フィルタ１１と清掃部１３と駆動部１４とを筐体２内部に納めたことで、従来の天井埋込形空気調和機の寸法を変えることなく、フィルタ清掃機能を搭載することができる。
【符号の説明】
【０１０６】
１…空気調和機、２…筐体本体、３…化粧パネル、４…吸込パネル、５…清掃装置、６…支持体、６ａ…支持体枠部、６ｂ、６ｃ…レール部、６ｄ…フィルタ抑え、６ｅ…フランジ部、６ｆ…ラック、６ｈ…第１凹部、６ｉ…第２凹部、６ｊ…第３凹部、６ｋ…リブ、７…アーム昇降ギアユニット、７ａ…吸込パネル昇降アーム、８…ファン、９…熱交換器、９ａ…背面熱交換器部、９ｂ…下面熱交換器部、１０…ファンモータ、１１…フィルタ、１１ａ…フィルタ枠、１１ｂ…フィルタ網、１１ｃ…突条部、１３…清掃部、１３ａ…ウォームギア抑え、１４…駆動部、１５…回転ブラシ、１５ａ…清掃ブラシ、１５ｂ…清掃ブラシ基部、１５ｃ…回転ブラシ台、１５ｃ１…清掃ブラシ挿入穴、１５ｃ２…爪係合穴、１５ｃ３…回動軸、１５ｃ４…切欠き、１５ｃ５…凸部、１５ｄ…清掃ブラシ台、１５ｄ１…係止用爪、１５ｅ…排出ブラシ、１５ｆ…衝撃吸収部材、１６…ブラシ保持ケース、１６ａ…回転軸穴、１６ｂ…静止ブラシ係合部、１６ｃ…ダストボックス係止部、１６ｄ…回転抑制部、１６ｅ…支持軸穴、１６ｆ…滑り台部、１７…アーム、１７ａ…第１アーム部、１７ｂ…第２アーム部、１７ｃ…回動軸係合穴、１７ｄ…凸部、１８…静止ブラシ、１８ａ…回収ブラシ、１８ｂ…静止ブラシ台、１８ｃ…静止ブラシ係止部、１８ｄ…支持軸、１８ｅ…凹凸部、１９…ダストボックス、１９ａ…ブラシ保持ケース係合穴、１９ｂ…開口部、２０…ばね、２０ａ…回転ブラシ用ばね、２０ｂ…アーム用ばね、２０ｃ…静止ブラシ用ばね、２１ａ、２１ｂ…凹部、２２…吹出口パネル（上下風向板）、２４…カバー、２５…ノズル、２５ａ…ガイド、３０…筐体、３０ａ…空気吸込口、３０ｂ…空気吹出口、３１…天井面、３２…吊ボルト、３３…キャスタ、３４…駆動モータ（ステッピングモータ）、３５…伝達シャフト、３６…ウォームギア、３７…清掃部本体。
【図１】
2010143230.tif 000003
【図２】
2010143230.tif 000004
【図３】
2010143230.tif 000005
【図４】
2010143230.tif 000006
【図５】
2010143230.tif 000007
【図６】
2010143230.tif 000008
【図７】
2010143230.tif 000009
【図８】
2010143230.tif 000010
【図９】
2010143230.tif 000011
【図１０Ａ】
2010143230.tif 000012
【図１０Ｂ】
2010143230.tif 000013
【図１０Ｃ】
2010143230.tif 000014
【図１０Ｄ】
2010143230.tif 000015
【図１０Ｅ】
2010143230.tif 000016
【図１０Ｆ】
2010143230.tif 000017
【図１０Ｇ】
2010143230.tif 000018
【図１０Ｈ】
2010143230.tif 000019
【図１１】
2010143230.tif 000020
【図１２】
2010143230.tif 000021
【図１３】
2010143230.tif 000022
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
空気吸込口及び空気吹出口を有する筐体と、
前記筐体内に配置され、室内空気を前記空気吸込口より吸込み前記空気吹出口より吹出すファンと、
前記筐体内で前記ファンの前記空気吸込口側に配置され、下部が前側に上部が後側になるように傾斜して設置した熱交換器と、
前記筐体内で前記熱交換器の前記空気吸込口側に配置され、下部が前側に上部が後側になるように傾斜して設置したフィルタと、
前記筐体内に配置され、前記フィルタに捕集された塵埃を前記フィルタの前記空気吸込口側で清掃する清掃ブラシと、
前記清掃ブラシを挿んで前記フィルタの反対側に配置され、前記清掃ブラシにより清掃された塵埃を溜めるダストボックスと、を備える空気調和機。
【請求項２】
請求項１において、
前記ダストボックスの側面形状は前記フィルタの前記空気吸込口側の空間の側面から見た略三角形状とほぼ一致する略三角形状である空気調和機。
【請求項３】
請求項１において、
前記ダストボックスは、前記ダストボックスの下面に設けられ且つ電気掃除機のノズルを挿入可能な開口と、前記開口を塞ぐカバーとを備える空気調和機。
【請求項４】
請求項１において、
前記清掃ブラシと、前記清掃ブラシの回転を制御する第１アーム部及び第２アーム部と、を有す清掃部と、
前記清掃部の待機位置に対応して設けられた第１凹部及び第２凹部と、をさらに備え、
前記第１アーム部は、前記清掃部の待機位置で前記第１凹部内に開放され、前記清掃部の動作の開始後に当該第１凹部の角部に当接して回転し、
前記第２アーム部は、前記第１アーム部の回転に伴って回転して前記第２凹部内に開放された後に当該第２凹部の角部に当接されてさらに回転する空気調和機。
【請求項５】
請求項４において、
前記第１アーム部と前記第２アーム部の回転に伴って、前記清掃ブラシが前記フィルタの方向に回転して起き上がる空気調和機。
【請求項６】
請求項５において、
前記清掃部が前記待機位置から往復折り返し地点まで移動することで、前記清掃ブラシは前記フィルタに付着した塵埃を捕集し、
その後、前記往復折り返し地点に至ると、第２アーム部が第３凹部内に開放されることにより、前記清掃ブラシが前記ダストボックスの方向に回転する空気調和機。
【請求項７】
請求項１において、
前記清掃ブラシで清掃された塵埃を回収する回収ブラシと、前記回収ブラシに回収された塵埃を前記ダストボックスへ排出する排出ブラシと、を備える空気調和機。
【請求項８】
請求項７において、
前記清掃ブラシ及び前記排出ブラシからなる回転ブラシが時計回り方向に回転して、前記排出ブラシが前記回収ブラシに摺接することにより、前記回収ブラシに付着した塵埃が前記回収ブラシから離れて前記ダストボックスへ移送され、
前記回転ブラシが反時計回り方向に回転して、前記清掃ブラシが前記回収ブラシに摺接することにより、前記清掃ブラシに付着した塵埃が前記回収ブラシへ移送される空気調和機。
【請求項９】
請求項８において、
前記清掃ブラシは、長い毛の列と、短い毛の列とから構成され、
前記回転ブラシが反時計回り方向に回転して、前記清掃ブラシが前記回収ブラシに摺接する際に前記清掃ブラシの前記短い毛の列が前記長い毛の列よりも先に前記回収ブラシに摺接する空気調和機。
【請求項１０】
（削除）
【請求項１１】
（削除）
【請求項１２】
（削除）
【請求項１３】
（削除）
【請求項１４】
（削除）
【国際調査報告】
2010143230.tif 000023
2010143230.tif 000024
2010143230.tif 000025
2010143230.tif 000026